(57)【要約】【課題】流通過程や店頭で蓋が不正開封されると、不正開封された証拠が残り、不正開封されたことを外観から一目瞭然に確認することができる不正開封防止機能付キャップを提供する。【解決手段】キャップ本体100 の周壁150 の後方上端部にヒンジ300 を介して蓋200 が開閉可能に接続するキャップであって、蓋の周壁220 のヒンジ対向側下端に、開閉用つまみ230 を突設し、蓋の周壁のヒンジと開閉用つまみ間の外周側面に、細い脆弱紐520 を介して雄形状挿嵌部510 を接続し、キャップ本体の周壁の蓋の雄形状挿嵌部の対応位置の外周側面に、雌形状嵌着部410 を突設し、蓋をキャップ本体に閉じてキャップを封止するときに、蓋の雄形状挿嵌部をキャップ本体の雌形状嵌着部に挿嵌する。【選択図】図１
2006016051.tif 000002
【特許請求の範囲】
【請求項１】
キャップ本体の周壁の後方上端部にヒンジを介して蓋が開閉可能に接続するキャップにおいて、蓋の周壁のヒンジ対向側下端に、開閉用つまみを突設し、蓋の周壁のヒンジと開閉用つまみ間の外周側面に、細い脆弱紐を介して雄形状挿嵌部を接続し、キャップ本体の周壁の蓋の雄形状挿嵌部の対応位置の外周側面に、雌形状嵌着部を突設し、蓋をキャップ本体に閉じてキャップを封止するときに、蓋の雄形状挿嵌部をキャップ本体の雌形状嵌着部に挿嵌することを特徴とする不正開封防止機能付キャップ。
【請求項２】
キャップ本体の周壁の後方上端部にヒンジを介して蓋が開閉可能に接続するキャップにおいて、蓋の周壁のヒンジ対向側下端に、開閉用つまみを突設し、蓋の周壁のヒンジと開閉用つまみ間の外周側面に、雄形状挿嵌部を突設し、キャップ本体の周壁の蓋の雄形状挿嵌部の対応位置の外周側面に、細い脆弱紐を介して雌形状嵌着部を接続し、蓋をキャップ本体に閉じてキャップを封止するときに、キャップ本体の雌形状嵌着部を蓋の雄形状挿嵌部に挿嵌することを特徴とする不正開封防止機能付キャップ。
【請求項３】
キャップ本体の周壁の後方上端部にヒンジを介して蓋が開閉可能に接続するキャップにおいて、蓋の周壁のヒンジ対向側下端に、開閉用つまみを突設し、蓋の周壁のヒンジと開閉用つまみ間の外周側面に、細い脆弱紐を介して雌形状嵌着部を接続し、キャップ本体の周壁の蓋の雌形状嵌着部の対応位置の外周側面に、雄形状挿環部を突設し、蓋をキャップ本体に閉じてキャップを封止するときに、蓋の雌形状嵌着部をキャップ本体の雄形状挿嵌部に挿嵌することを特徴とする不正開封防止機能付キャップ。
【請求項４】
キャップ本体の周壁の後方上端部にヒンジを介して蓋が開閉可能に接続するキャップにおいて、蓋の周壁のヒンジ対向側下端に、開閉用つまみを突設し、蓋の周壁のヒンジと開閉用つまみ間の外周側面に、雌形状嵌着部を突設し、キャップ本体の周壁の蓋の雌形状嵌着部の対応位置の外周側面に、細い脆弱紐を介して雄形状挿嵌部を接続し、蓋をキャップ本体に閉じてキャップを封止するときに、キャップ本体の雄形状挿嵌部を蓋の雌形状嵌着部に挿嵌することを特徴とする不正開封防止機能付キャップ。
【発明の詳細な説明】
【技術分野】
【０００１】
本発明は、キャップ本体の後方に蓋がヒンジを介して開閉可能に接続するキャップであり、流通過程や店頭でキャップが不正開封されると、不正開封されたことが、外観から一目瞭然に判明することができる不正開封防止機能付キャップに関するものである。
【背景技術】
【０００２】
従来、市場の店頭などで商品の不正開封、例えば、ＰＥＴボトル（ポリエチレンテレフタレートを二軸延伸ブロー成形したボトル）の口頸部には、キャップ本体にヒンジを介して蓋が接続するキャップが螺合又は咬合により装着されているが、このキャップの蓋が故意に開けられ、キャップ本体の注出筒に収容されているプルリングを引っ張って、注出筒の内側下方の封鎖板に設けられている環状薄肉脆弱線を破断してキャップ本体を開封したのちに、再度、蓋をキャップ本体に閉じて、そのまま店頭に戻すと言う悪戯が多く見られいた。
【発明の開示】
【発明が解決しようとする課題】
【０００３】
しかしながら、上述の従来の蓋付のキャップは、注出筒を封止する封鎖板をプルリングにより開口して初めて容器が開封されるものであるため、特には、蓋の不正開封防止策は取られていなかった。
【０００４】
本発明は、上述の従来のキャップの問題点を解決したものであり、流通過程や店頭で蓋が不正開封されると、不正開封された証拠が残り、不正開封されたことを外観から一目瞭然に確認することができる不正開封防止機能付キャップを提供するものである。
【課題を解決するための手段】
【０００５】
すなわち、本発明の第１の発明は、キャップ本体の周壁の後方上端部にヒンジを介して蓋が開閉可能に接続するキャップにおいて、蓋の周壁のヒンジ対向側下端に、開閉用つまみを突設し、蓋の周壁のヒンジと開閉用つまみ間の外周側面に、細い脆弱紐を介して雄形状挿嵌部を接続し、キャップ本体の周壁の蓋の雄形状挿嵌部の対応位置の外周側面に、雌形状嵌着部を突設し、蓋をキャップ本体に閉じてキャップを封止するときに、蓋の雄形状挿嵌部をキャップ本体の雌形状嵌着部に挿嵌することを特徴とする不正開封防止機能付キャップである。
【０００６】
また、本発明の第２の発明は、キャップ本体の周壁の後方上端部にヒンジを介して蓋が開閉可能に接続するキャップにおいて、蓋の周壁のヒンジ対向側下端に、開閉用つまみを突設し、蓋の周壁のヒンジと開閉用つまみ間の外周側面に、雄形状挿嵌部を突設し、キャップ本体の周壁の蓋の雄形状挿嵌部の対応位置の外周側面に、細い脆弱紐を介して雌形状嵌着部を接続し、蓋をキャップ本体に閉じてキャップを封止するときに、キャップ本体の雌形状嵌着部を蓋の雄形状挿嵌部に挿嵌することを特徴とする不正開封防止機能付キャップである。
【０００７】
また、本発明の第３の発明は、キャップ本体の周壁の後方上端部にヒンジを介して蓋が開閉可能に接続するキャップにおいて、蓋の周壁のヒンジ対向側下端に、開閉用つまみを突設し、蓋の周壁のヒンジと開閉用つまみ間の外周側面に、細い脆弱紐を介して雌形状嵌着部を接続し、キャップ本体の周壁の蓋の雌形状嵌着部の対応位置の外周側面に、雄形状挿環部を突設し、蓋をキャップ本体に閉じてキャップを封止するときに、蓋の雌形状嵌着部をキャップ本体の雄形状挿嵌部に挿嵌することを特徴とする不正開封防止機能付キャッ
プである。
【０００８】
そして、本発明の第４の発明は、キャップ本体の周壁の後方上端部にヒンジを介して蓋が開閉可能に接続するキャップにおいて、蓋の周壁のヒンジ対向側下端に、開閉用つまみを突設し、蓋の周壁のヒンジと開閉用つまみ間の外周側面に、雌形状嵌着部を突設し、キャップ本体の周壁の蓋の雌形状嵌着部の対応位置の外周側面に、細い脆弱紐を介して雄形状挿嵌部を接続し、蓋をキャップ本体に閉じてキャップを封止するときに、キャップ本体の雄形状挿嵌部を蓋の雌形状嵌着部に挿嵌することを特徴とする不正開封防止機能付キャップである。
【発明の効果】
【０００９】
第１の発明の不正開封防止機能付キャップは、蓋をキャップ本体に閉じて未開封の場合には、蓋の後方は、ヒンジを介してキャップ本体に接続し、また、蓋の周壁外周側面に細い脆弱紐を介して接続する雄型状挿嵌部が、キャップ本体の周壁外周側面に突設する雌形状嵌着部に挿嵌している。このため、流通過程や店頭などで、開閉用つまみで蓋をキャップ本体から不正開封されると、雄型状挿嵌部に接続する細い脆弱紐が必ず破断される。この破断された脆弱紐は、元の状態に戻すことは不可能であるため、不正開封されたことの証拠が残り、この脆弱紐の破断から、不正開封されことが、外観から一目瞭然に確認できる。
【００１０】
第２の発明の不正開封防止機能付キャップは、蓋をキャップ本体に閉じて未開封の場合には、蓋の後方は、ヒンジを介してキャップ本体に接続し、また、キャップ本体の周壁外周側面に細い脆弱紐を介して接続する雌形状嵌着部が、蓋の周壁外周側面に突設する雄形状挿嵌部に挿嵌している。このため、流通過程や店頭などで、開閉用つまみで蓋をキャップ本体から不正開封されると、雌型状嵌着部に接続する細い脆弱紐が必ず破断される。この脆弱紐の破断から、不正開封されことが、外観から一目瞭然に確認できる。
【００１１】
第３の発明の不正開封防止機能付キャップは、蓋をキャップ本体に閉じて未開封の場合には、蓋の後方は、ヒンジを介してキャップ本体に接続し、また、蓋の周壁外周側面に細い脆弱紐を介して接続する雌形状嵌着部が、キャップ本体の周壁外周側面に突設する雄形状挿嵌部に挿嵌している。このため、流通過程や店頭などで、開閉用つまみで蓋をキャップ本体から不正開封されると、雌型状嵌着部に接続する細い脆弱紐が必ず破断される。この脆弱紐の破断から、不正開封されことが、外観から一目瞭然に確認できる。
【００１２】
第４の発明の不正開封防止機能付キャップは、蓋をキャップ本体に閉じて未開封の場合には、蓋の後方は、ヒンジを介してキャップ本体に接続し、また、キャップ本体の周壁外周側面に細い脆弱紐を介して接続する雄形状挿嵌部が、蓋の周壁外周側面に突設する雌形状嵌着部に挿嵌している。このため、流通過程や店頭などで、開閉用つまみで蓋をキャップ本体から不正開封されると、雌型状嵌着部に接続する細い脆弱紐が必ず破断される。この脆弱紐の破断から、不正開封されことが、外観から一目瞭然に確認できる。
【発明を実施するための最良の形態】
【００１３】
次に、本発明の不正開封防止機能付キャップの一実施形態について、図を用いて詳細に説明する。
【００１４】
図１乃至図４は、本実施形態の不正開封防止機能付キャップの蓋を開いた状態における平面図であり、図１は、実施形態１の不正開封防止機能付キャップで、図２は、実施形態２の不正開封防止機能付キャップで、図３は、実施形態３の不正開封防止機能付キャップで、図４は、実施形態４の不正開封防止機能付キャップである。図５乃至図８は、本実施形態の不正開封防止機能付キャップの蓋を閉じてキャップを封止したときに、雌形状嵌着
部と雄形状挿嵌部とが挿嵌した状態を示す説明図であり、図５は、実施形態１の不正開封防止機能付キャップで、図６は、実施形態２の不正開封防止機能付キャップで、図７は、実施形態３の不正開封防止機能付キャップで、図８は、実施形態４の不正開封防止機能付キャップである。図９は、図１のＡ−Ａ’線断面図、図２のＢ−Ｂ’線断面図、図３のＣ−Ｃ’線断面図及び図４のＤ−Ｄ’線断面図である。
【００１５】
本実施形態の不正開封防止機能付キャップ（１０）は、図９に示すように、プルリング（１４４）で注出筒（１３０）の内側を封止する封鎖板（１４０）を開口するキャップ本体に、ヒンジ（３００）を介して開閉可能に蓋（２００）が接続するいわゆるヒンジキャップであり、流通過程や店頭における不正開封防止機能を有するキャップである。なお、本実施形態の不正開封防止機能付キャップは、細い脆弱紐や薄肉脆弱線をもちこれに所定の力（開封するための通常の力）が加わったときに破断される必要があるため、破断可能な低密度ポリエチレンなどの熱可塑性樹脂を用いて、射出成形法によりキャップ本体とヒンジと蓋を一体に成形するものである。なお、脆弱部の強度は、成形材料の材質、厚み及び幅などにより調整されるものである。
【００１６】
実施形態１の不正開封防止機能付キャップ（１０）の構造は、図９に示すように、キャップ本体（１００）の後方に蓋（２００）がヒンジ（３００）を介して開閉可能に接続し、キャップ本体は、天板（１１０）の外周内側縁部に、上端外周に蓋との咬合リング（１２１）をもつ液垂れ防止リング（１２０）を突設し、その内側の天板下面に容器とのインナー封止リング（１１１）（外周面を容器の口部内周面に密接）を垂設し、その内側に、注出筒（１３０）を設け、この注出筒の内側下端に封鎖板（１４０）を設けて封鎖し、この封鎖板の開口予定位置に、下面に環状切込み（１４１）を設けて上面に環状薄肉脆弱線（１４２）を形成し、この環状薄肉脆弱線の内側近傍位置に、先端にプルリング（１４４）をもつ支柱（１４３）を突設し、周壁（１５０）の下端内周面に容器との咬合リング（１５１）を設け、蓋は、天板（２１０）の下面にキャップ本体とのインナー封止リング（２１１）（外周面をキャップ本体の注出筒上端部内周面に密接）を垂設し、周壁（２２０）の下端内周面にキャップ本体との咬合リング（２２１）を設けるものである。そして、図１に示すように、蓋（２００）の周壁（２２０）のヒンジ（３００）と開閉用つまみ（２３０）間の外周側面に、細い脆弱紐（５２０）を介して雄形状挿嵌部（５１１）を接続し、キャップ本体（１００）の周壁（１５０）の蓋の雄形状挿嵌部の対応位置の外周側面に、雌形状嵌着部（４１０）を突設するものである。なお、雄形状挿嵌部の形状は、切断直円錐状の内側挿嵌部（５１１）に直円錐状の外側挿嵌部（５１２）が接続するものであり、雌形状嵌着部の形状は、外観が直円柱状で、内側に切断直円錐状の嵌着貫通孔（４１１）が明いており、雌形状嵌着部に雄形状挿嵌部が挿嵌されると、雄形状挿嵌部の外側挿嵌部の外周縁部内側面が、雌形状嵌着部の嵌着貫通孔の外周縁部外側面にしっかりと嵌着するものである。
【００１７】
上述した実施形態１の不正開封防止機能付キャップ（１０）は、図５に示すように、蓋（２００）をキャップ本体（１００）に閉じて、蓋の周壁外周側面に細い脆弱紐（５２０）を介して接続する雄型状挿嵌部（５１０）を、キャップ本体の周壁外周側面に突設する雌形状嵌着部（４１０）に挿嵌して封止すると、雄型状挿嵌部に接続する細い脆弱紐を破断することなしには、キャップを開封することができなかった。
【００１８】
実施形態２の不正開封防止機能付キャップ（１０）の構造は、図２に示すように、蓋（２００）の周壁（２２０）のヒンジ（３００）と開閉用つまみ（２３０）間の外周側面に、雄形状挿嵌部（５１１）を突設し、キャップ本体（１００）の周壁（１５０）の蓋の雄形状挿嵌部の対応位置の外周側面に、細い脆弱紐（５２０）を介して雌形状嵌着部（４１０）を突設するものである。これ以外は、実施形態１と同様である。
【００１９】
上述した実施形態２の不正開封防止機能付キャップ（１０）は、図６に示すように、蓋（２００）をキャップ本体（１００）に閉じて、キャップ本体の周壁外周側面に細い脆弱紐（４２０）を介して接続する雌形状嵌着部（４１０）を、蓋の周壁外周側面に突設する雄型状挿嵌部（５１０）に挿嵌して封止すると、雌形状嵌着部に接続する細い脆弱紐を破断することなしには、キャップを開封することができなかった。
【００２０】
実施形態３の不正開封防止機能付キャップ（１０）の構造は、図３に示すように、蓋（２００）の周壁（２２０）のヒンジ（３００）と開閉用つまみ（２３０）間の外周側面に、細い脆弱紐（４２０）を介して雌形状嵌着部（４１０）を接続し、キャップ本体（１００）の周壁（１５０）の蓋の雌形状嵌着部の対応位置の外周側面に、雄形状挿環部（５１０）を突設するものである。これ以外は、実施形態１と同様である。
【００２１】
上述した実施形態３の不正開封防止機能付キャップ（１０）は、図７に示すように、蓋（２００）をキャップ本体（１００）に閉じて、蓋の周壁外周側面に細い脆弱紐（４２０）を介して接続する雌形状嵌着部（４１０）を、キャップ本体の周壁外周側面に突設する雄型状挿嵌部（５１０）に挿嵌して封止すると、雌形状嵌着部に接続する細い脆弱紐を破断することなしには、キャップを開封することができなかった。
【００２２】
実施形態４の不正開封防止機能付キャップ（１０）の構造は、図４に示すように、蓋（２００）の周壁（２２０）のヒンジ（３００）と開閉用つまみ（２３０）間の外周側面に、雌形状嵌着部（４１０）を突設し、キャップ本体（１００）の周壁（１５０）の蓋の雌形状嵌着部の対応位置の外周側面に、細い脆弱紐（５２０）を介して雄形状挿環部（５１０）を接続するものである。これ以外は、実施形態１と同様である。
【００２３】
上述した実施形態４の不正開封防止機能付キャップ（１０）は、図８に示すように、蓋（２００）をキャップ本体（１００）に閉じて、キャップ本体の周壁外周側面に細い脆弱紐（５２０）を介して接続する雄型状挿嵌部（５１０）を、蓋の周壁外周側面に突設する雌形状嵌着部（４１０）に挿嵌して封止すると、雄型状挿嵌部に接続する細い脆弱紐を破断することなしには、キャップを開封することができなかった。
【図面の簡単な説明】
【００２４】
【図１】本発明の一実施形態の不正開封防止機能付キャップの蓋を開いた状態における平面図である。
【図２】本発明の他の一実施形態の不正開封防止機能付キャップの蓋を開いた状態における平面図である。
【図３】本発明の他の一実施形態の不正開封防止機能付キャップの蓋を開いた状態における平面図である。
【図４】本発明の他の一実施形態の不正開封防止機能付キャップの蓋を開いた状態における平面図である。
【図５】図１の不正開封防止機能付キャップの蓋を閉じてキャップを封止したときに、キャップ本体の雌形状嵌着部に蓋の雄形状挿嵌部が挿嵌した状態を示す説明図である。
【図６】図２の不正開封防止機能付キャップの蓋を閉じてキャップを封止したときに、蓋の雄形状挿嵌部にキャップ本体の雌形状嵌着部が挿嵌した状態を示す説明図である。
【図７】図３の不正開封防止機能付キャップの蓋を閉じてキャップを封止したときに、キャップ本体の雄形状挿嵌部に蓋の雌形状嵌着部が挿嵌した状態を示す説明図である。
【図８】図４の不正開封防止機能付キャップの蓋を閉じてキャップを封止したときに、蓋の雌形状嵌着部にキャップ本体の雄形状挿嵌部が挿嵌した状態を示す説明図である。
【図９】図１のＡ−Ａ’線断面図、図２のＢ−Ｂ’線断面図、図３のＣ−Ｃ’線断面図及び図４のＤ−Ｄ’線断面図である。
【符号の説明】
【００２５】
１０……キャップ
１００……キャップ本体
１１０，２１０……天板
１１１，２１１……インナー封止リング
１２０……液垂れ防止リング
１２１，２２１……咬合リング
１３０……注出筒
１４０……封鎖板
１４１……環状切込み
１４２……環状薄肉脆弱線
１４３……支柱
１４４……プルリング
１５０，２２０……周壁
２００……蓋
２３０……開閉用つまみ
３００……ヒンジ
４１０……雌形状嵌着部
４１１……嵌着貫通孔
４２０，５２０……脆弱紐
５１０……雄形状挿嵌部
５１１……上部挿嵌部
５１２……下部挿嵌部
【図１】
2006016051.tif 000003
【図２】
2006016051.tif 000004
【図３】
2006016051.tif 000005
【図４】
2006016051.tif 000006
【図５】
2006016051.tif 000007
【図６】
2006016051.tif 000008
【図７】
2006016051.tif 000009
【図８】
2006016051.tif 000010
【図９】
2006016051.tif 000011